(57)【要約】【課題】      極めて容易に釣用仕掛けに道糸やハリス糸等の釣糸を係止出来る釣用仕掛けを提供することである。【解決手段】  釣用仕掛け１は金属線材をａ部位で屈曲させて２つ折りにして折り返し部１ａを有するフック片Ｆを形成すると共に折り返し部１ａは横幅Ｗをリング状に広げて形成されて折り返し部１ａの先端の内側に孔１ｂが形成されて折り返し部１ａ以外は線材を２本に重ねた軸部１ｃと止め金具２より他端側はＶ字形に開いて先端にフック状のハリス係止部１ｄ、１ｅが形成され、折り返し部１ａの横幅Ｗは、折り返し部１ａと対向する線材からなる軸部１ｃの幅ｗより幅広に形成され、折り返し部１ａ側の部位ｂは折り返し部１ａの折り返し方向に対して垂直になる方向に折り返しフック状の釣糸係止部１ｆが形成されて折り返し部１ａは軸部１ｃより上方に起立されている。【選択図】        図１
2009268388.tif 000002
【特許請求の範囲】
【請求項１】
折り返し部を有する線材を屈曲させてフック状の釣糸係止部を形成し、前記折り返し部を、該折り返し部と対向する線材からなる軸部の幅より幅広に形成したことを特徴とする釣用仕掛け。
【請求項２】
折り返し部は軸部より上方に起立しいていることを特徴とする請求項１記載の釣用仕掛け。
【請求項３】
折り返し部はリング状に広がって形成されていることを特徴とする請求項１、２記載の釣用仕掛け。
【請求項４】
折り返し部の先端の内側に孔が形成されていることを特徴とする請求項１乃至３の何れかに記載の釣用仕掛け。
【発明の詳細な説明】
【技術分野】
【０００１】
本発明は、釣糸やハリス等を連結する釣用仕掛けに関する。
【背景技術】
【０００２】
従来特許文献１のように線材を折り曲げて形成した釣り用ハリス金具が提案されている。
しかし、釣り用ハリス金具は両端に道糸取付部と２組のハリス取付部を有しており、道糸取付部には小さな孔が形成されて道糸が通された後糸が結ばれるようになっており、ハリス取付部は２組の折り曲げ部と折り曲げ部の元部に小孔が開けられて小孔にハリス糸が通された後ハリス糸は折り曲げ部先端側に移動されるようになっている。
釣り用ハリス金具全体は小さなものであるから、小さな孔に道糸の先端を通すことや、小孔にハリス糸の先端を通すことは釣場では難しい作業で、薄暗い所では至難な作業である。
【特許文献１】実開昭５０−５２１８４号公報
【発明の開示】
【発明が解決しようとする課題】
【０００３】
解決しようとする問題点は、小さな孔に道糸の先端を通すことや、小孔にハリス糸の先端を通すことは釣場では難しい作業で、薄暗い所では至難な作業である。
【０００４】
本発明の目的は前記欠点に鑑み、極めて容易に釣用仕掛けに道糸やハリス糸等の釣糸を係止出来る釣用仕掛けを提供することである。
【課題を解決するための手段】
【０００５】
本発明の請求項１は、折り返し部を有する線材を屈曲させてフック状の釣糸係止部を形成し、前記折り返し部を、該折り返し部と対向する線材からなる軸部の幅より幅広に形成したことを要旨とするものである。
本発明の請求項２は、折り返し部は軸部より上方に起立しいていることを要旨とするものである。
本発明の請求項３は、折り返し部はリング状に広がって形成されていることを要旨とするものである。
本発明の請求項４は、折り返し部の先端の内側に孔が形成されていることを要旨とするものである。
【発明の効果】
【０００６】
本発明の請求項により、釣用仕掛けの折り返し部が軸部より幅広に形成されていると釣糸の先端に作ったル−プに折り返し部が通し易く、また、折り返し部が軸部より上方に起立していると釣糸が掛けやすく、更にル−プを釣糸係止部に導いて釣糸を結ぶことで係止されるので、小孔に釣糸の先端を通すのとは異なり、薄暗闇でも極めて容易に係止することが出来る。
折り返し部がリング状に広がって孔が形成されていると釣糸の先端に作ったル−プに折り返し部を通す時に軸部との間の抵抗を受けずに折り返し部の基部まで導くことが出来る。
ハリス係止部についても、釣糸の先端にル−プを作ってハリス係止部の線材の先端を通して、釣糸を結ぶことで係止されるので、小孔に釣糸の先端を通すのとは異なり、薄暗闇でも極めて容易に係止することが出来る。
【発明を実施するための最良の形態】
【０００７】
釣用仕掛け１は金属線材で全体の大きさが１ｃｍ程度の長さに形成されている。
釣用仕掛け１は線材をａ部位で屈曲させて２つ折りにした折り返し部１ａを形成すると共に折り返し部１ａは２つ折りによって一対の金属線材が並列する横幅Ｗ方向をリング状に広げて形成されて折り返し部１ａの内側に孔１ｂが形成されている。
釣用仕掛け１の折り返し部１ａ以外は線材を部位ｂにて再度折り返し部１ａ側に折り返し線材を２本に重ねた軸部１ｃと止め金具２より他端側はＶ字形に開いて先端にフック状のハリス係止部１ｄ、１ｅが形成されている。
ハリス係止部１ｄ、１ｅの線材の先端ｃ、ｄはそれぞれ内側に屈曲されている。
折り返し部１ａの横幅Ｗは、折り返し部１ａと対向する線材からなる軸部１ｃの幅ｗより幅広に形成されている。
釣用仕掛け１の折り返し部１ａ側の一端ｂは折り返し部１ａの面に対して垂直になるフック状の釣糸係止部１ｆが形成されている。
折り返し部１ａは軸部１ｃより上方に起立されている。
釣糸係止部１ｆには道糸等の釣糸３が係止される。
ハリス係止部１ｄ、１ｅにはハリスの釣糸４、５が係止される。
【実施例１】
【０００８】
以下、図示の実施例によって本発明を説明すると、図１から図３は第１実施例で図１は釣用仕掛けの平面図、図２は釣用仕掛けの側面図、図３は釣用仕掛けに道糸とハリス糸が取り付けられた平面図である。
【０００９】
釣用仕掛け１は金属線材で全体の大きさが１ｃｍ程度の長さに形成されている。
釣用仕掛け１は線材をａ部位で屈曲させて２つ折りにした折り返し部１ａを形成すると共に折り返し部１ａは２つ折りによって一対の金属線材が並列する横幅Ｗ方向にリング状に広げて形成されて折り返し部１ａの先端の内側に孔１ｂが形成されている。
釣用仕掛け１の折り返し部１ａ以外は折り返し部１ａによって並列した一対の金属線材を再度部位ｂにて折り返し部１ａ方向に折り返して先端に折り返し部１ａを有するフック片Ｆとこの折り返し部１ａ側に折り返した並列する一対の線材の軸部１ｃと軸部１ｃの２本の線材を保持する止め金具２と止め金具２より他端側はＶ字形に開いて先端にフック状のハリス係止部１ｄ、１ｅが形成されている。
ハリス係止部１ｄ、１ｅの線材の先端ｃ、ｄはそれぞれ内側に屈曲されている。
【００１０】
折り返し部１ａの横幅Ｗは、折り返し部１ａと対向する線材からなる軸部１ｃの幅ｗより幅広に形成され、またその孔１ｂも軸部１ｃの幅ｗより広く形成されている。
釣用仕掛け１のフック片Ｆの基端側の部位ｂは折り返し部１ａの折り返し方向に対して垂直になる方向に折り返しフック状の釣糸係止部１ｆが形成されている。
折り返し部１ａは軸部１ｃより上方（離間する方向）に起立されている。
釣糸係止部１ｆには道糸等の釣糸３が係止される。
ハリス係止部１ｄ、１ｅにはハリスの釣糸４、５が係止される。
【００１１】
釣糸係止部１ｆに道糸等の釣糸３が係止される時は、釣糸３の先端にル−プを作って折り返し部１ａを通し、釣糸係止部１ｆに導いて釣糸３を結ぶことで係止される。
ハリス係止部１ｄ、１ｅにハリスの釣糸４、５が係止される時は釣糸４、５の先端にル−プを作ってハリス係止部１ｄ、１ｅを通して、釣糸４、５を結ぶことで係止される。
【００１２】
前記のように釣用仕掛け１が構成されると、折り返し部１ａが軸部１ｃより幅広に形成されていると釣糸３の先端に作ったル−プに折り返し部１ａを通し易く、また、折り返し部１ａが軸部１ｃより上方に起立していると釣糸が掛けやすく、更にル−プを釣糸係止部１ｆに導いて釣糸３を結ぶことで係止されるので、小孔に釣糸の先端を通すのとは異なり、薄暗闇でも極めて容易に係止することが出来る。
折り返し部１ａがリング状に広がって孔１ｂが形成されていると釣糸３の先端に作ったル−プに折り返し部１ａを通す時に軸部１ｃとの間の抵抗を受けずに折り返し部１ａの基部まで導くことが出来る。
ハリス係止部１ｄ、１ｅについても、釣糸４、５の先端にル−プを作ってハリス係止部１ｄ、１ｅの線材の先端ｃ、ｄを通して、釣糸４、５を結ぶことで係止されるので、小孔に釣糸の先端を通すのとは異なり、薄暗闇でも極めて容易に係止することが出来る。
【実施例２】
【００１３】
図４、図５は第２実施例で図４は釣用仕掛けの平面図、図５は釣用仕掛けの側面図である。
【００１４】
第２実施例では釣用仕掛けをヨリモドシに実施した例である。
ヨリモドシからなる釣用仕掛け６は連結玉７の両側に軸部１ｃが回動可能に連結されて軸部１ｃに釣糸係止部１ｆと折り返し部１ａを有するフック片Ｆが一体に形成されている。
他の構成は前記第１実施例と略同一である。
【産業上の利用可能性】
【００１５】
本発明は釣用仕掛け全般に利用できる。
【図面の簡単な説明】
【００１６】
【図１】第１実施例で釣用仕掛けの平面図である。
【図２】同釣用仕掛けの側面図である。
【図３】同釣用仕掛けに道糸とハリス糸が取り付けられた平面図である。
【図４】第２実施例で釣用仕掛けの平面図である。
【図５】同釣用仕掛けの側面図である。
【符号の説明】
【００１７】
１、６  釣用仕掛け
１ａ  折り返し部
１ｂ  孔
１ｆ  釣糸係止部
１ｃ  軸部
【図１】
2009268388.tif 000003
【図２】
2009268388.tif 000004
【図３】
2009268388.tif 000005
【図４】
2009268388.tif 000006
【図５】
2009268388.tif 000007